(57)【要約】【課題】外容器に連結体を結合させて外容器内に内容器を固定し、隔離空間により断熱する保温カップ構造を提供する。【解決手段】保温カップ体構造は、外容器２、内容器３、蓋体６、弾性体４、連結体１及び第１のワッシャ５を備える。外容器２は、上部に開口を有する缶状体である。内容器３は、耐熱ガラス材からなる上、上部に開口を有する缶状体である。蓋体６は、食品用の耐熱プラスチックからなり、一端に開口を有するキャップ状を呈する。外容器２は、上縁内側にねじ状の雌ねじ部２１を有する。弾性体４は、上方へ突出した外リング４１が外縁に形成され、外リング４１より僅かに低い複数の内リング４２が上へ向かって内縁に突設され、弾性体４が外容器２の内縁底部に配設されている。連結体１は、環境に優しくて食用耐熱プラスチック材からなる環状体である。【選択図】図１
0003197093.tif 000002
【実用新案登録請求の範囲】
【請求項１】
外容器、内容器、蓋体、弾性体、連結体及び第１のワッシャを備えた保温カップ体構造であって、
前記外容器は、上部に開口を有する缶状体であり、
前記内容器は、耐熱ガラス材からなる上、上部に開口を有する缶状体であり、前記外容器より小さな外径を有し、前記外容器内に設置され、
前記蓋体は、食品用の耐熱プラスチックからなり、一端に開口を有するキャップ状を呈し、
前記外容器は、上縁内側にねじ状の雌ねじ部を有し、
前記弾性体は、上方へ突出した外リングが外縁に形成され、前記外リングより僅かに低い複数の内リングが上へ向かって内縁に突設され、前記弾性体が前記外容器の内縁底部に配設され、
前記連結体は、環境に優しくて食用耐熱プラスチック材からなる環状体であり、上ねじ及び下ねじを外縁の上下にそれぞれ有し、前記下ねじは、前記外容器の前記雌ねじ部に螺着され、前記上ねじと前記下ねじとの間には、外縁に周設された凹状リングを有するとともに、前記連結体は、環状凸部を内面に有し、
前記第１のワッシャは、食品用の耐熱シリコーン材からなり、円環状のプレートを呈し、前記内容器の頂部には、端面が固定され、
前記蓋体は、開口部内縁にねじ状の雌ねじ部を有し、内側頂面に内凹状リング溝を有し、前記内凹状リング溝内には第２のワッシャが収容され、
前記連結体の前記下ねじが前記外容器の前記雌ねじ部に螺着され、前記連結体の前記環状凸部により前記第１のワッシャ、前記内容器及び前記弾性体が前記外容器内で当接され、前記外容器内に前記内容器が堅牢に固定され、
前記蓋体の前記雌ねじ部が前記連結体の前記上ねじに螺着されると、前記内容器内の液体が完全に密封され、外に漏れることを防ぐことを特徴とする保温カップ体構造。
【請求項２】
前記外容器の外側には、様々なパターン、文字又は模様が印刷されていることを特徴とする請求項１に記載の保温カップ体構造。
【請求項３】
前記連結体上には、茶葉又は果物でお茶を淹れるためのフィルタが配設されていることを特徴とする請求項１に記載の保温カップ体構造。
【請求項４】
前記連結体の凹状リングの側部には、下を向いたフック状のストッパが互いに対をなして設けられ、
前記凹状リングには、容易に持ち運ぶことができるように帯体が取り付けられていることを特徴とする請求項１に記載の保温カップ体構造。
【考案の詳細な説明】
【技術分野】
【０００１】
本考案は、保温カップ構造に関し、特に、外容器に連結体を結合させて外容器内に内容器を固定し、隔離空間により断熱する保温カップ構造に関する。
【０００２】
カップ体は、日常生活における必需品の一つであり、忙しい現代社会ではカップ体の機能に対する要求も日増しに高まっている。保温カップは、市販されてからというもの関連メーカにより保温、絶縁機能が改良され、初期の水銀がメッキされた保温カップから電熱保温カップまで改良され、最近のプラスチック製保温カップ又は多層複合材料からなる保温カップは、保温機能及び断熱機能を有し、保温カップ又は断熱カップであっても、熱を完全に遮断することはできず、素手で持てるようにカップの外側を低温に維持することは困難であった。従来のガラス製保温カップは、水銀を含む上、携帯が容易でなく損壊し易いという性質を有し、火傷をしてしまう虞があるため利用者は飲み口に直接口をつけて飲むことができなかった。
【０００３】
また、従来のプラスチック材料からなる保温カップは、プラスチック材料が耐熱性を備えていないため、弱酸性又は弱アルカリ性が発生して身体に害を与えてしまう虞があった。昔の水銀がメッキされた保温カップは、重い材料からなるため携帯が不便である上、容量も小さめであった。また、材料に金属が使用されているため熱が伝わり易く、利用者が素手で持ったり口をつけたりすることが困難であった。また、従来のカップ体は材料を溶接して成形し、液体が外に漏出することを防ぐことができるが、窒素により断熱していたため多くの加工コストがかかった。セラミック製保温カップは割れやすい性質を有し、セラミックの製造コストが高い上、その材料の性質上、その保温効果は理想的でなかった。
【先行技術文献】
【特許文献】
【０００４】
【特許文献１】なし
【考案の概要】
【考案が解決しようとする課題】
【０００５】
本考案の主な目的は、内容器内の液体が完全に密封されて漏出することがなく、隔離空間により外容器と内容器とを完全に隔離し、内容器内にある液体の熱が外容器に伝わることを防ぎ、内容器内の液体が低温である場合でも、外部の温度により内容器の液体温度に影響を与えず、保温効果を得ることができる上、飲用する際、先に連結体に触れるため、内容器に直接口が触れて火傷をしてしまうことがなく、分解して洗浄する際、連結体を外容器又は蓋体の螺着箇所から緩めるだけで分解が可能であり、全ての部品を洗浄してきれいにすることができ、異物又は異臭も残らない上、部品を交換することもでき、連結体上には、茶葉又は果物でお茶を淹れるためのフィルタが配設され、外容器の外側には、様々なパターン、文字又は模様が印刷され、見た目及び視認性が高い保温カップ構造を提供することにある。
【課題を解決するための手段】
【０００６】
上記課題を解決するために、本考案の第１の形態によれば、外容器、内容器、蓋体、弾性体、連結体及び第１のワッシャを備えた保温カップ体構造であって、前記外容器は、上部に開口を有する缶状体であり、前記内容器は、耐熱ガラス材からなる上、上部に開口を有する缶状体であり、前記外容器より小さな外径を有し、前記外容器内に設置され、前記蓋体は、食品用の耐熱プラスチックからなり、一端に開口を有するキャップ状を呈し、前記外容器は、上縁内側にねじ状の雌ねじ部を有し、前記弾性体は、上方へ突出した外リングが外縁に形成され、前記外リングより僅かに低い複数の内リングが上へ向かって内縁に突設され、前記弾性体が前記外容器の内縁底部に配設され、前記連結体は、環境に優しくて食用耐熱プラスチック材からなる環状体であり、上ねじ及び下ねじを外縁の上下にそれぞれ有し、前記下ねじは、前記外容器の前記雌ねじ部に螺着され、前記上ねじと前記下ねじとの間には、外縁に周設された凹状リングを有するとともに、前記連結体は、環状凸部を内面に有し、前記第１のワッシャは、食品用の耐熱シリコーン材からなり、円環状のプレートを呈し、前記内容器の頂部には、端面が固定され、前記蓋体は、開口部内縁にねじ状の雌ねじ部を有し、内側頂面に内凹状リング溝を有し、前記内凹状リング溝内には第２のワッシャが収容され、前記連結体の前記下ねじが前記外容器の前記雌ねじ部に螺着され、前記連結体の前記環状凸部により前記第１のワッシャ、前記内容器及び前記弾性体が前記外容器内で当接され、前記外容器内に前記内容器が堅牢に固定され、前記蓋体の前記雌ねじ部が前記連結体の前記上ねじに螺着されると、前記内容器内の液体が完全に密封され、外に漏れることを防ぐことを特徴とする保温カップ体構造が提供される。
【０００７】
前記外容器の外側には、様々なパターン、文字又は模様が印刷されていることが好ましい。
【０００８】
前記連結体上には、茶葉又は果物でお茶を淹れるためのフィルタが配設されていることが好ましい。
【０００９】
前記連結体の凹状リングの側部には、下を向いたフック状のストッパが互いに対をなして設けられ、前記凹状リングには、容易に持ち運ぶことができるように帯体が取り付けられていることが好ましい。
【考案の効果】
【００１０】
本考案の保温カップ体構造は、以下（１）〜（５）の効果を有する。
（１）簡素な構造により形成した隔離空間により内容器と外容器との間で熱が伝導することを防ぎ、高温又は低温の液体を隔離空間により断熱し、保温することができる。
（２）弾性体及び第１のワッシャを内容器に当接させて覆うと、その材料特性により内容器が外容器内に堅牢に固定され、振動により割れることを防ぐことができる上、簡単な技術手段により振動を防ぐこともできる。
（３）部品を洗浄したり交換したりする際、利用者は簡単な操作により分解・組立てを行うことができる。
（４）高温の内容器に直接口をつけなくとも、連結体の飲用カップから口で飲むことができるため安全である。
（５）異なる色、模様又はパターンを有する外容器及び蓋体を利用することにより、異なる色、模様又はパターンが組み合わされたカップ体を形成することができる。
【図面の簡単な説明】
【００１１】
【図１】図１は、本考案の一実施形態に係る保温カップ体構造を示す分解斜視図である。
【図２】図２は、本考案の一実施形態に係る保温カップ体構造を示す斜視図である。
【図３】図３は、本考案の一実施形態に係る保温カップ体構造を示す断面図である。
【図４】図４は、本考案の一実施形態に係る保温カップ体構造の使用状態の説明図である。
【図５】図５は、本考案の一実施形態に係る保温カップ体構造を示す部分断面図である。
【考案を実施するための形態】
【００１２】
以下、本考案の実施形態について図に基づいて説明する。なお、これによって本考案が限定されるものではない。
【００１３】
図１〜図５を参照する。図１〜図５に示すように、本考案の一実施形態に係る保温カップ体構造は、少なくとも連結体１、外容器２、内容器３、弾性体４、第１のワッシャ５、蓋体６及び第２のワッシャ７から構成されてなる。
【００１４】
連結体１は、環境に優しくて食用耐熱プラスチック材からなる環状体であり、上ねじ１１及び下ねじ１２を外縁の上下に有する。上ねじ１１と下ねじ１２との間には、外縁に周設された凹状リング１３を有する。凹状リング１３の側部には、下を向いたフック状のストッパ１４が互いに対をなして設けられている。凹状リング１３には、容易に持ち運ぶことができるように帯体が取り付けられ、連結体１の内面には、環状凸部１５が形成されている。
【００１５】
外容器２は、環境に優しくて食用耐熱プラスチック材からなる上、上部に開口が形成された缶状体である。外容器２は、上縁内側にねじ状の雌ねじ部２１を有する。
【００１６】
内容器３は、耐熱ガラス材からなる上、上部に開口が形成された缶状体である。内容器３の外径は外容器２より小さい。内容器３は、上縁にカップ口３１を有する。
【００１７】
弾性体４は、多層式の食用耐熱シリコーン材からなる環状体であり、その頂面及び底面の外縁には、上下に突出した外リング４１が形成され、その内縁には上下に対をなして上下に突出したテーパ状であるが、外リング４１より僅かに低い内リング４２が複数設けられている。弾性体４の表面には、複数の排気孔４３が形成されている。
【００１８】
第１のワッシャ５は、食品用の耐熱シリコーン材からなり、円環状のプレートを呈し、内容器３のカップ口３１に固定される。
【００１９】
蓋体６は、食品用の耐熱プラスチックからなり、一端に開口が形成されたキャップ状を呈し、その開口部内縁には、ねじ状の雌ねじ部６１が形成され、その内側頂面には内凹状リング溝６２が形成されている。
【００２０】
第２のワッシャ７は、食品用の耐熱シリコーン材からなる中空円プレートであり、蓋体６の内凹状リング溝６２内に固定される。
【００２１】
弾性体４は、外容器２の内縁底部に配設される。内容器３が弾性体４上に配設され、内容器３のカップ口３１内に第１のワッシャ５が当接されると、連結体１の下ねじ１２が外容器２の雌ねじ部２１に螺着され、連結体１の環状凸部１５により第１のワッシャ５、内容器３及び弾性体４が外容器２内で当接され、外容器２内に内容器３が堅牢に固定され、内容器３と外容器２との直径差により隔離空間８が形成され、弾性体４の外リング４１及び内リング４２の下側が外容器２の内底面に接触される。弾性体４の外リング４１の上側は、内容器３の外環外縁を覆い、内リング４２が内容器３の底部に接触されるとともに、内リング４２のテーパ状及び弾性特性により、内容器３に弾性体４が押し付けられ、内リング４２が力を受けて外側へ広がり、内容器３が堅牢に固定される。隔離空間８により形成された真空空間を利用し、外容器２と内容器３との間で熱が伝導することを防ぎ、弾性体４及び第１のワッシャ５のシリコーン材料の特性を利用し、振動の発生を防いで内容器３を完全に保護することができる。蓋体６の雌ねじ部６１が連結体１の上ねじ１１に螺着されると、本考案の組立てが完了する。
【００２２】
連結体１上には、茶葉又は果物でお茶を淹れるためのフィルタ９が配設されている。
【００２３】
本実施形態の保温カップ構造を組立てる場合、一方の手で外容器２を掴み、他方の手で連結体１のストッパ１４を掴んでストッパ１４に力を加えるだけで、容易に連結体１を外容器２に螺着させることができ、蓋体６が連結体１の上ねじ１１に螺着されて組立てが完了する。本実施形態の保温カップ構造を分解する場合、一方の手で蓋体６又は外容器２を掴んで抑えながら、他方の手の指で連結体１のストッパ１４に僅かな力を加えるだけで、蓋体６又は外容器２から連結体１を緩めて外すことができる。
【００２４】
上述したことから分るように本考案の保温カップ体構造は、以下（１）〜（５）の長所を有する。
（１）簡素な構造により形成した隔離空間８により内容器３と外容器２との間で熱が伝導することを防ぎ、高温又は低温の液体を隔離空間８により断熱し、保温することができる。
（２）弾性体４及び第１のワッシャ５を内容器３に当接して覆うと、その材料特性により内容器３が外容器２内に堅牢に固定され、振動により割れることを防ぐことができる上、簡単な技術手段により振動することを防ぐこともできる。
（３）部品を洗浄したり交換したりする際、利用者は簡単な操作により分解・組立てを行うことができる。
（４）高温の内容器３に直接口をつけなくとも、連結体１の飲用カップから口で飲むことができるため安全である。
（５）異なる色、模様又はパターンを有する外容器２及び蓋体６を利用することにより、異なる色、模様又はパターンが組み合わされたカップ体を形成することができる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  連結体
２  外容器
３  内容器
４  弾性体
５  第１のワッシャ
６  蓋体
７  第２のワッシャ
８  隔離空間
９  フィルタ
１１  上ねじ
１２  下ねじ
１３  凹状リング
１４  ストッパ
１５  環状凸部
２１  雌ねじ部
３１  カップ口
４１  外リング
４２  内リング
４３  排気孔
６１  雌ねじ部
６２  内凹状リング溝
【図１】
0003197093.tif 000003
【図２】
0003197093.tif 000004
【図３】
0003197093.tif 000005
【図４】
0003197093.tif 000006
【図５】
0003197093.tif 000007